(57)【要約】【課題】  建物壁面に装着、卓上に平置、卓上に樹立状に定置の三態様の設置が自由選択でき、卓上に樹立状に設置する場合ベース板をはずして側板の長手方向を横切る方向に装着するだけの手間でケースを卓上へ樹立状に定置できるようにした光受信機を提供する。【解決手段】  ケースの裏側板の裏側面は、卓上へ定置可能に平らに構成すると共に壁面に添付け可能に掛止部を備えさせ、さらに側板には、ベース板を定置する為の添え付け凹部を設け、そこに長手方向の寸法が側板の幅寸法よりも長い寸法で形成されているベース板を表面が側板の表面と同高状態で着脱自在に添え付け、さらに添え付け凹部と同じ深さの第２添え付け凹部を側板の長手方向を横切る方向に向けて設け、ベース板の中間部を着脱自在に装着することにより、側板の下面とベース板における同高状になっている下面とでケースを卓上において樹立状に定置できるようにしてある。【選択図】    図３
2006003832.tif 000002
【特許請求の範囲】
【請求項１】
天板３ｃと、天板３ｃに平行する状態で配置される結線盤３ａと、天板３ｃと結線盤３ａとの間に夫々配置される二つの側板３ｂ、３ｂとを角形に配置すると共に、上記天板３ｃ、結線盤３ａ及び二つの側板３ｂ、３ｂで囲まれる角形の空間５の一面を塞ぐように備えさせた裏側板３ｄとでケース本体３を構成し、ケース本体３の表側面には、ケース７外部からケース内の光ファイバ４４等を操作するための比較的大きな開口部３ｅを備えさせ、さらに上記ケース本体３の開口部３ｅに対しては着脱自在に蓋体４を被せ付けてケース７を構成し、さらに、上記ケース本体３において外部から表側面の開口部３ｅを通してケース内の光ファイバ４４等を操作可能とする位置には、余長の光ファイバ４４等を収容する為の光ファイバ収容部２４を備えさせている光受信機１において、
上記裏側板３ｄの裏側面は、ケース７を卓上へ定置可能に平らに構成すると共に、天板３ｃが上部になり、結線盤３ａが下部になる状態でケース７を壁面に対して添え付け可能に掛止部４９が備えさせてあり、
さらに上記二つの側板３ｂ、３ｂの内のいずれか一方の側板３ｂには、ベース板７６を定置する為の細長い添え付け凹部３０を設け、そこには長手方向の寸法が側板の幅寸法Ｗ１よりも長い寸法Ｗ２で細長く形成されている平板状のベース板７６を、表面が側板３ｂの表面と同高になる状態で着脱自在に添え付け、その添え付け状態の維持は、側板の側に掛合凹部３２を構成すると共に、ベース板の側には開放用の爪７７ａを備えている掛合片７７を掛合凹部３２に向けて突出具備させ、それを側板３ｂの掛合凹部３２に係脱自在に係合させて維持し、
さらに、上記側板３ｂにおいては、上記細長い添え付け凹部３０と同じ深さの第２添え付け凹部３１を側板の長手方向を横切る方向に向けて設け、上記ベース板７６の中間部をその第２添え付け凹部３１に着脱自在に装着することにより、上記側板３ｂの下面と、上記板状のベース板７６における同高状になっている下面とでケース７を卓上において樹立状に定置できるようにしたことを特徴とする光受信機１。
【発明の詳細な説明】
【技術分野】
【０００１】
本発明は光ファイバ収容部を備える光受信機の装着に際し、建物壁面に装着したり、卓上に平置したり、卓上に樹立状に定置したりの三態様の設置が自由選択できる光受信機に関する。
【背景技術】
【０００２】
光受信機においては、ケース内における光ファイバ収容部に余長の光ファイバを収容している。その余長の光ファイバを収納する場合、丸めて小嵩に収納でき、しかも安全曲率以上の曲率で巻くことができ、さらに、光受信機全体を小型コンパクトにすることが望まれる。
そこで出願人会社における試作品にあっては、図１、図２に表れているように、ケース本体３において、外部から表側面の開口部３ｅを通してケース内５の光ファイバ４４等を操作可能とする位置には光ファイバ収容部２４を備えさせている。この光ファイバ収容部２４にあっては、大きな曲率で添え付け状に配置される光ファイバ４４等を受け止める為の基板２５と、光ファイバを大きな曲率で基板２５に添わせた状態で配置した場合に、周方向外部（矢印８０）に向けて光ファイバが逃げ出すのを防ぐために基板面上に柵状に配設した周壁５８、２７等で構成される光ファイバ収容部２４を備えさせている。
そのように構成したことにより、引き込まれた光ファイバの余長部分を邪魔にならないように丸めて小嵩に収納でき、しかも、安全曲率以上の曲率で巻くことができ、さらに、余長部分を巻いた状態で納める部分の平面的な専有面積を小さくすることができ、光受信機１全体を小型コンパクトにすることができる特長がある。
そして、この光受信機１は、図１に表れるような天板３ｃを上にした状態で建物壁面に装着したり、図２に表れる状態（表側面の開口部３ｅを上にした状態）で卓上に平置して用いることができる。（例えば、非特許文献１、非特許文献２、非特許文献３参照）
【０００３】
【非特許文献１】特願２００３−１８８５４１明細書、図面
【非特許文献２】特願２００３−２７０１５２明細書、図面
【非特許文献３】特願２００３−２７０１５３明細書、図面
【発明の開示】
【発明が解決しようとする課題】
【０００４】
最近、この従来の光受信機１の特長を損ねることなく、外観をより美しくしたいという要望がある。
さらに、この従来の光受信機１の設置を建物壁面への装着又は卓上に平置きの二態様以外に、ケース本体３の一方の側板３ｂを下にした状態で、卓上に樹立状に定置したいという要望もある。
そこで、この従来の光受信機１を卓上に樹立状に定置させる手段として、一方の側板３ｂに樹立用のスタンドを取り付ける手段が考えられる。
しかし、別体材のスタンドを脱着可能に取り付けると美観が悪くなる。また、別体のスタンドは紛失のおそれがある等の問題点もある。
そこで、スタンドを脱着不能（固定的）に取り付けることも考えられるが、余長ファイバ４４の収納作業時や光受信機１の保守点検時にケース本体３を図１のように表側面の開口部３ｅを上にした状態で平置させる場合、スタンドが側板３ｂから開口部３ｅ側と裏板側に出っ張ると、安定して平置できないその上に、作業中に光ファイバがスタンドに当たって傷ついたり、折れるおそれがある。
さらにスタンドの存在により、光受信機１を建物壁面に装着又は卓上に平置することが困難になる問題点も生じる。
【０００５】
本件出願の目的は、従来の光受信機１の特長を損ねることなく、外観がより美しい光受信機を提供しようとするものである。
他の目的は、光受信機１を設置する場合、建物壁面に装着、卓上に平置、卓上に樹立状に定置の三態様の設置が自由選択できる光受信機を提供しようとするものである。
さらに、三態様の設置が自由選択できるようにしたものであっても、外観上美しい光受信機を提供しようとするものである。
他の目的は、光受信機１を卓上に樹立させて設置する場合、ケース本体３における一方の側板３ｂに、重合状に添え付けた平板状のベース板７６をはずして、側板３ｂの長手方向を横切る方向に向けて装着するだけの手間で、ケース７を卓上へ樹立状に定置できるようにした光受信機を提供しようとするものである。
他の目的は、上記卓上へ樹立状に定置する場合、上記ベース板７６を側板３ｂの長手方向を横切る方向に装着するだけの手間で樹立状に定置させるものであっても、倒れないように安定して樹立させることができる光受信機を提供しようとするものである。
さらにその場合、樹立させた光受信機の周囲においてベース板７６における張り出し寸法が少なくなり、その上ベース板７６における張り出した部分の上面も利用することができるようにして、周囲に大きなデッドスペースを作ることなく、光受信機の周囲の空間を有効に利用できるようにしようとするものである。
他の目的は、光受信機１を建物壁面に装着又は卓上に平置させて設置する場合、上記ベース板７６は、ケース本体３における一方の側板３ｂの内に小さく収まり、それの一部と化し、外観上すっきりと美しい光受信機を提供しようとするものである。
他の目的及び利点は図面及びそれに関連した以下の説明により容易に明らかになるであろう。
【課題を解決するための手段】
【０００６】
本願発明における光受信機は、天板３ｃと、天板３ｃに平行する状態で配置される結線盤３ａと、天板３ｃと結線盤３ａとの間に夫々配置される二つの側板3b、3bとを角形に配置すると共に、上記天板３ｃ、結線盤３ａ及び二つの側板3b、3bで囲まれる角形の空間５の一面を塞ぐように備えさせた裏側板３ｄとでケース本体３を構成し、ケース本体３の表側面には、ケース７外部からケース内の光ファイバ４４等を操作するための比較的大きな開口部３ｅを備えさせ、さらに上記ケース本体３の開口部３ｅに対しては着脱自在に蓋体４を被せ付けてケース７を構成し、さらに、上記ケース本体３において外部から表側面の開口部３ｅを通してケース内の光ファイバ４４等を操作可能とする位置には、余長の光ファイバ４４等を収容する為の光ファイバ収容部２４を備えさせている光受信機１において、  上記裏側板３ｄの裏側面は、ケース７を卓上へ定置可能に平らに構成すると共に、天板３ｃが上部になり、結線盤３ａが下部になる状態でケース７を壁面に対して添え付け可能に掛止部４９が備えさせてあり、さらに上記二つの側板3b、3bの内のいずれか一方の側板3bには、ベース板７６を定置する為の細長い添え付け凹部３０を設け、そこには長手方向の寸法が側板の幅寸法W1よりも長い寸法W2で細長く形成されている平板状のベース板７６を、表面が側板３ｂの表面と同高になる状態で着脱自在に添え付け、その添え付け状態の維持は、側板の側に掛合凹部３２を構成すると共に、ベース板の側には開放用の爪77aを備えている掛合片７７を掛合凹部３２に向けて突出具備させ、それを側板３ｂの掛合凹部３２に係脱自在に係合させて維持し、さらに、上記側板3bにおいては、上記細長い添え付け凹部３０と同じ深さの第２添え付け凹部３１を側板の長手方向を横切る方向に向けて設け、上記ベース板７６の中間部をその第２添え付け凹部３１に着脱自在に装着することにより、上記側板３ｂの下面と、上記板状のベース板７６における同高状になっている下面とでケース７を卓上において樹立状に定置できるようにしたものである。
【発明の効果】
【０００７】
以上のように本願発明は、ケース本体３の裏側板３ｄの裏側面は、ケース７を卓上へ定置可能に平らに構成すると共に、裏側板３ｄの裏側面には壁面に対して添え付け可能に掛止部４９が備えさせてあり、さらに、二つの側板3b、3bの内のいずれか一方の側板3bには、第２添え付け凹部３１を側板3bの長手方向を横切る方向に向けて設け、長手方向の寸法が側板3bの幅寸法W1よりも長い寸法W2で細長く形成されているベース板７６の中間部を第２添え付け凹部３１に装着することにより、上記側板３ｂの下面と、上記板状のベース板７６における下面とでケース７を卓上において樹立状に定置できるように構成したので、光受信機１を設置する場合には、建物壁面に装着、卓上に平置、卓上に樹立状に定置の三態様の設置が自由選択できる設置上の効果がある。
さらに、三態様の設置が自由選択できるようにしたものであっても、上記側板3bには、ベース板７６を定置する為の細長い添え付け凹部３０を設け、そこにはベース板７６を、表面が側板３ｂの表面と同高になる状態で着脱自在に添え付けるように構成したので、外観がすっきりと美しいという美観上の効果がある。
【０００８】
さらに本願発明は、光受信機１を卓上に樹立させて設置する場合、上記側板3bには、ベース板７６を定置する為の細長い添え付け凹部３０を設け、平板状のベース板７６を、表面が側板３ｂの表面と同高になる状態で着脱自在に添え付けるようにしてある。その添え付け状態の維持は、側板3bの側に掛合凹部３２を構成すると共に、ベース板７６の側には開放用の爪77aを備えている掛合片７７を掛合凹部３２に向けて突出具備させ、それを側板３ｂの掛合凹部３２に係脱自在に係合させて維持するように構成した。さらに、上記側板3bには、上記細長い添え付け凹部３０と同じ深さの第２添え付け凹部３１を側板の長手方向を横切る方向に向けて設け、上記ベース板７６の中間部をその第２添え付け凹部３１に着脱自在に装着できるように構成してあるから、ケース本体３における一方の側板３ｂに、重合状に添え付けた平板状のベース板７６を指で摘んではずし、側板３ｂの長手方向を横切る方向に向けてワンタッチで装着するだけの手間で、ケース７を卓上へ樹立状に定置できる作業上の効果がある。
【０００９】
さらに本願発明は、光受信機１を卓上へ樹立状に定置する場合、上記ベース板７６を側板３ｂの長手方向を横切る方向に装着するだけの手間で樹立状に定置させるものであっても、ケース本体３の側板3bにおける第２添え付け凹部３１に、平板状のベース板７６を、表面が側板３ｂの表面と同高になる状態で着脱自在に装着することにより、上記側板３ｂの下面と、上記ベース板７６における同高状になっている下面とでケース７を卓上において樹立状に定置できるようにしてあるから、倒れないように安定して樹立させることができる設置上の効果がある。
さらにその場合、ベース板７６の形状は平板状で、かつ厚みは薄く構成できるので、樹立させた光受信機の周囲においてベース板７６における張り出した部分の上面も利用することができ、周囲に大きなデッドスペースを作ることなく、光受信機の周囲の空間を有効に利用できる設置上の効果がある。
【００１０】
さらに本願発明は、光受信機１を建物壁面に装着又は卓上に平置させて設置する場合、ケース本体３の側板3bには、ベース板７６を定置する為の細長い添え付け凹部３０を設け、そこには平板状のベース板７６を、表面が側板３ｂの表面と同高になる状態で着脱自在に添え付けるように構成してあるので、上記ベース板７６は、ケース本体３における一方の側板３ｂの一部と化し、外観上すっきりと美しいものとなる美感上の効果がある。
【発明を実施するための最良の形態】
【００１１】
以下本願発明の実施の形態を示す図１乃至図８について説明する。図の内、図１及び図２は、ケース７におけるケース本体３と、ケースの中に収納される電子機器13及び光ファイバ収容部24の位置関係を示す正面図及び分解斜視図である。なお、これらの図において側板３ｂ、出入口６の構成は、出願人会社における本件出願前の試作品に係わるものを表示するものである。以下順次図面を用いて実施例を説明する。
【００１２】
３は、周知のようにオフィスビルやマンションなどの出入り口近くや屋内に設置する光受信機１におけるケース本体を示し、通常は任意の蓋体４を開閉自在に備える。４ａは蓋体４の止具を示す。これは、図４（Ｄ）に表れているように蓋体４の先に弾力性を有する掛合用の爪片４ａを同時成型により一体的に備えさえ、閉蓋時には図示のように天板３ｃにおける折り曲げ状形成の庇部１１の一部に掛かり合いするようにしてある。なお滑り止め凹凸４ｋを押さえると掛合は外れる。
ケース本体３は、天板3cと、天板に平行する状態で配置される結線盤3aと、天板3cと結線盤3aとの間に夫々配置される二つの側板3bとを角形に配置すると共に、上記天板3c、結線盤及び二つの側板3b、3bで囲まれる角形の空間５の一面を塞ぐように備えさせた裏側板3dを組み合わせ、一体的に合着させることにより構成されている。
【００１３】
上記二つの側板3b、3bの内のいずれか一方（例えば光受信部１３がある、或いはケーブルが付される等、重心が偏在している場合は重心に近い側）の側板3bに、ベース板７６を定置する為の対応外形形状の細長い添え付け凹部３０を設ける。この添え付け凹部３０には長手方向の寸法が側板の幅寸法W1よりも長い寸法W2で、側板３ｂの長手方向長さよりも著しく短い寸法の細長く形成されている平板状のベース板７６を、表面が側板３ｂの表面と同高になる状態で図４のように着脱自在に添え付ける。その添え付け状態の維持は、側板3bの側に図３のような掛合凹部３２ａ、３３ａを構成すると共に、ベース板の側には開放用の爪77aを備えている一体形成の掛合片７７を掛合凹部３２ａに向けた方向で突出具備させ、それを側板３ｂの掛合凹部３２ａに係脱自在に係合させて維持させるようにしてある。３２ｂ、３３ｂは嵌合孔で、ベース板７６の内面に一体状に形成した嵌合突片７８を選択的に抜き差し可能に嵌合させる為のもので、図４の装着状態では外観的に隠れるようにしてある。また上記爪７７ａは、掛合凹部（孔）３２ａ、３３ａの位置関係から図６、図４の装着状態では外観的に僅かに表出する位置に設けてある。
さらに、上記側板3bにおいては、上記細長い添え付け凹部３０と同じ深さの第２添え付け凹部３１、４ｂを側板の長手方向を横切る方向に向けて設け、第２添え付け凹部３１の幅に対応して嵌合可能とする形状の上記ベース板７６の中間部をその第２添え付け凹部３１、４ｂに着脱自在に装着することにより、図７の状態では上記側板３ｂの下面と、上記板状のベース板７６における同高状になっている下面とでケース７を卓上において樹立状に定置できるようにしてある。
図５の添付け状態での維持は、前述の場合の考えと同じで、爪７７ａが掛合凹部３３ａに嵌合し、嵌合突片７８が嵌合孔３３ｂに抜き差し自在に嵌合し、図５の状態にできる。なお、第２添え付け凹部３１，４ｂを図３において右側に寄せると、掛合凹部３２ａと掛合片７７だけでも、ベース板７６を図４、図５の添付状態は維持できる。従って、掛合凹部３３ａと、嵌合孔３２ｂと、嵌合孔３３ｂとは省略できる。また、第２添え付け凹部４ｂは蓋体４がそこに位置したので、蓋体４の側面に設けたことにより図５の状態ではベース板７６が蓋体４のロック片の役を果たすことになり、卓上で樹立させて使用する場合に物が蓋体４に当たって蓋体を開放させて、ケース内の光ファイバを傷つけるという不測の事故を防止する役割を果たす。
【００１４】
上記裏側板３ｄの裏側面は、ケース７を卓上へ定置可能に平らに構成する。図８に示されるように、裏側面に突起４８を設ける場合は、平らにする為、複数の突起48、48、48、48は同じ高さにして、ケース７を卓上へ平らに定置できるようにしてある。
さらに、上記裏側板３ｄの裏側面には、複数の掛止部（だるま孔）49ａ、49ｂ、49ｃが備えさせてある。だるま孔49ａ、49ｂは、図８に表れる状態でケース７を壁面に対して添え付け可能になるように構成し、だるま孔49ｂ、49ｃは、側板３ｂに沿わせたベース板７６が下になる状態でケース７を壁面に対して添え付け可能になるように構成してある。
【００１５】
ケース本体３の表側面には、ケース外部からケース内の光ファイバ44等を操作するための比較的大きな開口部3eを備えさせ、さらに上記ケース本体の開口部3eに対しては着脱自在に蓋体４を被せ付けてケース７を構成し、さらに、上記ケース本体３において、外部から表側面の開口部3eを通してケース内５の光ファイバ44等を操作可能とする位置には、大きな曲率で添え付け状に配置される光ファイバを受け止める為の基板２５と、光ファイバを大きな曲率で基板２５に添わせた状態で配置した場合に、周方向外部（矢印８０）に向けて光ファイバが逃げ出すのを防ぐために基板面上に柵状に配設した周壁58、27等で構成される光ファイバ収容部24を備えさせている。
５は、ケース本体３における収納空間を示し、Ｏ／Ｅ変換手段を備える光受信部13と、余長の光ファイバ44、45、46、47を収容する為の収容部24とを備えている。ケース本体３の下側の結線盤3aは、例えば底部3d、側部3bを含む本体部分とプラスチック材で一体に又は各別材を組み合わせて形成してある。結線盤3aに備える８、９は公知のテレビ信号を取り出す為の出力端子突出口を示す。
【００１６】
なお光受信機１の設置は、図４（Ａ）の状態で机上に、また図７の状態で机上に、さらには、背面に周知のだるま孔49a複数を配設し、それを利用することにより天板3cを上にして、または側板３ｂに沿わせたベース板７６を下にして建物壁面に装着して用いる。
なお、本件明細書においては、設置状態が三態様あるので「上下及び前後」の言葉を用いての方向の特定はできない。しかし多くの場合、方向を称する場合は、図４の状態で左手前の突出口８が見える面を下と称し、右側の天板３ｃの側を上と称する。また図３（Ａ）で上を向いている面（蓋４の表面）を前と称し、図示の下面を後と称する。
上記光受信部１３と余長の光ファイバ収容部２４とは、図１、２に表れているように光ファイバ収容部２４が図中上側となるように上下に重合させ、光ファイバの余長部分を収納する場合に上部に空間が生じて作業性が向上するようにしてある。
【００１７】
光受信部１３は、通常知られているように外部はシールド効果を有する金属製のケース（シャーシ）１４で構成されており、内部には、光信号をテレビ受像機用の入力信号に変換する為の手段、通常、Ｏ／Ｅ変換手段として知られている電子回路が収められている。また必要に応じては周知のように増幅回路が収まっている。光受信部１３のケース１４は任意の着脱自在に構成されたケース本体３側の取付具、例えば鈎片１０で着脱自在に保持される。ケース（シャーシ）１４の表面には、基板２５の表面よりも高くなるように高さを設定した光アダプタ２０が着脱自在に固着されている。この光アダプタ２０には、ケース１４内のＯ／Ｅ変換手段に連なる光ファイバ１７の先端に付されている光コネクタ21aが抜差自在に接続されている。光コネクタ21aはケース１４に設けた孔を通してケース１４の内に収納できるようにしても良いし、ケース１４の蓋が開閉できるように光ファイバ１７のリード線を長くしてあっても良い。１６、１６ａは周知のテレビ信号用出力端子及びテレビ信号用出力レベル測定端子の存在を示す。
【００１８】
余長の光ファイバ収容部２４において、２５は基板を示し、プラスチックまたは金属などの硬質平板材で形成してある。基板２５は任意の手段、例えばケース本体３に対して直接的に、又はケース本体３に装着されている上記のケース１４に対して着脱自在にねじ部材などを用いて装着する。図１、２に現れる２５aは基板２５から延長させたカバーを示し、リード線１７を保護する為のものである。２５ｂは基板２５の上に設けたコネクタ仮止め具の存在を示すものである。
基板２５の上面に対しては、図示のように光ファイバ４４、４５、４６、４７の添え付けを可能とする安全曲率の範囲内で小さい曲率に形成されている周壁２６ａ，２７ａを有する第１巻枠２６と、第２巻枠２７とを並置させてある。安全曲率としては光ファイバのメーカーによって種々な説があるが、一般的には半径が20mm〜30mmあれば安全な曲率といわれている。
【００１９】
第１巻枠２６と、第２巻枠２７とは、基板２５が合成樹脂で成型される場合には一体材で成型される。周壁26a,27aには、光ファイバの滑りを止める為に、必要に応じて上下方向に長いスリットが周方向に多数配設してあってもよい。更に巻枠の平面形状は真円であっても良いし、安全曲率以上の曲率を備える楕円形であっても良い。
また、巻枠の周壁26a,27aは、基板２５とは別体で形成し、基板２５の所定位置に任意の接合手段、例えば基板２５に多数の孔を穿ち、巻枠の側から延びる多数の爪を嵌合させる手段を用いて、或いは接着剤などを用いて密着状態に装着してもよい。
２８は周壁26a,27aに添わせる光ファイバ４４、４５、４６、４７が跳ね上がるのを阻止するために予め周壁26a,27aの上部位置に均等に割り付けて配置された複数の跳止爪を示す。この跳止爪２８は周壁26a,27aの上部位置から放射方向に向けて一体材で張り出し状に備えさせてある。上記張り出し状の跳止爪における下方の基板２５には、必要に応じて、周知のように成形時に必要な型（中子）を抜き出す為に透孔を設けておくとよい。
【００２０】
上記基板２５の上面に対し、前述のごとく並置されている第１巻枠２６と、第２巻枠２７について説明する。これらの並置の状態は、第１巻枠２６と第２巻枠２７の夫々の中心点位置26f,27fを中心にして、上記安全曲率が得られる半径で描かれる円弧（周壁26a,27aの外周面とほぼ一致する）の一部が半径方向において相互に重合267するように、第１巻枠２６と、第２巻枠２７の中心点位置26f,27fを相互に近づけてある。このように配置すると当然のことながら図１から明らかなように第１巻枠２６と第２巻枠２７の左右全体の幅寸法は狭くなり、専有面積は小さくなる。
【００２１】
第１巻枠２６と第２巻枠２７との上記重合部267においては、図１に現れているように構成することにより、第１巻枠２６の外周と、第２巻枠２７の外周に対し、図から明らかなように夫々個別に光ファイバを安全曲率の範囲内で巻付け可能に構成してある。
その巻付け可能な構成を先ず第１巻枠２６について説明する。図１に現れているように相手方である第２巻枠２７に対して、両側に第１巻枠２６の外周円弧面に向けて夫々開口させた開口部27hを有する空間R4aを構成し、かつ、その空間R4aの第１巻枠寄りには光ファイバ添付の為の円弧状の周壁26aを形成する。
次に、対応相似的に形成されている第２巻枠２７について説明する。図１に現れているように相手方である第１巻枠２６に対して、両側に第２巻枠２７の外周円弧面に向けて夫々開口させた開口部26hを有する空間R4dを構成し、かつ、その空間R4dの第２巻枠寄りには光ファイバ添付の為の円弧状の周壁27aを形成する。
【００２２】
さらに、光ケーブル出入口６における導入路Ｒ１と、第１巻枠２６における左回り巻き付けの始端26dとの間に、光ファイバを通過させる為の上記安全曲率以上の曲率に形成した光ファイバ通路R4bが設けられている。この光ファイバ通路R4bは、第２巻枠２７の中間位置において中心点27f寄りに湾曲させてある。  このような通路Ｒ４bを設けることにより、通常、光ケーブル出入口６から挿入される光ファイバは、第１巻枠２６，第２巻枠２７に対して右回りに巻けるのであるが、これを図から理解できるように、逆向きの左回りに巻き付け可能になる。また上記構成により第２巻枠２７は見ためで巻枠要素27ｃと、巻枠要素27ｄと、巻枠要素27ｅとに分かれる。
なお、光ファイバ通路R4a、R4b、R4dにおいては、夫々の周壁26a、27a、27gに対向する面に対して光ファイバを案内する壁面が構成されている。
【００２３】
基板２５の上面に対しては、上記第１巻枠２６と第２巻枠２７の夫々の小さい曲率を有する周壁26a,27aの外周から遠く離れた位置に、第１巻枠２６と第２巻枠２７を取り囲むように、相互に適当な間隔を隔てて複数個所において光ファイバの外周位置規制用の跳止壁２９ｂを夫々自立状に並設してある。外周位置規制用の跳止壁２９ｂが並設してある位置は、第１巻枠２６と第２巻枠２７の周壁26a、27aから大きな間隙を隔てて光ファイバを大きな曲率で配置することを許容するように選定してある。上記跳止壁２９ｂの上部には夫々対応する第１巻枠２６と、第２巻枠２７に向けて延出させた爪２９ａを備えさせ、光ファイバが上方に向けて跳ね上がらないように形成してある。
【００２４】
これらの複数の爪２９ａと、上記複数の跳止爪２８との配列は、図１に示してあるように平面形状において、跳止爪２８の先端と、複数の爪２９ａの先端が相互に入り組んだ状態に配置されている。このことは光ファイバ４４、４５、４６、４７が第１巻枠２６と第２巻枠２７の夫々の周壁26a、27aから近い位置にて巻かれた場合は、複数の跳止爪２８によってその浮き上がりは防止され、光ファイバが曲率半径大きく、夫々の周壁26a、27aから離れた遠い位置に巻かれた場合は、複数の爪２９ａによってその浮き上がりは防止され、図１のように光ファイバが直線状態或いはやや湾曲した状態では、上方に向けて飛び出すことができないように交互に入れ込み状態で配列してある。
【００２５】
基板２５の上面において、３４、３５は公知の第１と第２のスプライスホルダの存在を示し、光ファイバ４４と４７、４５と４６とを夫々接続するための公知の第１と第２のメカニカルスプライス３６、３７を着脱自在に保持する為のものである。
配設位置としては、邪魔にならないように図１における第１巻枠２６と第２巻枠２７の中間位置の上方に選定してある。
基板２５において、基板２５の上面とほぼ同じ高さに配設してある光アダプタ２０が存在する隅部は、基板２５を欠如させ、光ファイバ４７の自由端に付着させた光コネクタ21bを光アダプタ２０の受口２２に着脱自在に接続できるようにしてある。
【００２６】
光ケーブルの出入口６近くの基板２５の上面においては、出入口６から巻枠２７に向けて大きな曲率で２芯の光ケーブル４１や、２芯（又は単芯）の光ケーブル４２の出入りを導くために緩やかに上昇するスロープが付された通路Ｒ１が形成されている。
出入口６の近くには上下から光ケーブル４１、４２を弾力的に挟み付ける為に通常知られているように上下の当たり面に弾力部材を備える挟着用部材から成る挟着具３９a、３９bが配設されており、挿入された光ケーブル４１、４２を着脱自在に保持している。
【００２７】
図１、２に現れる構成のものに光ケーブルを敷設する作業は、光ケーブルの出入口６から先端の光ファイバ４４、４５を先頭にして光ファイバ収容部２４に２芯の光ケーブル４１を挿入する。また必要に応じて２芯（又は単芯）の光ケーブル４２をも挿入し、固定する。この状態で通常知られている第１と第２のメカニカルスプライス３６、３７を利用する接続手段（他の任意周知の接続手段でもよい）を用いて光ファイバ４４と４７、及び光ファイバ４５と４６とを接続する。この接続作業においては通常知られている工具を用いるので、光ファイバ４４、４５、４６、４７は比較的長くなければならない。例えば５０cm以上であることが望ましい。作業員の都合によっては１００cm以上の場合もある。
【００２８】
上記のようにして光ファイバ相互が接続された後は、図に現れているように、これらのループ状になっている余長の光ファイバ（余分な長い光ファイバ）を光ファイバ収容部２４に対して綺麗に納めなければならない。
このように引き込まれた光ファイバの余長部分を邪魔にならないように丸め、小嵩に収納する場合、大小多数の巻態様を選択してきっちり、過不足無くきれいに収納することができる。
なお図面においてＲ１〜Ｒ１２は光ファイバを配設する場所（通路）を示すものである。
例えば第１の態様は、二つの巻枠２６、２７の外周に沿って、通路Ｒ２、Ｒ３、Ｒ７、Ｒ６、Ｒ５、Ｒ１０を渡って１巻の長さを長く巻き付ける。
第２の態様は、二つの巻枠２６、２７のいずれか一方の巻枠の外周に倣って最も短く巻き付ける。
第３の態様は、第１巻枠２６と第２巻枠２７の周壁から間隙を隔てて光ファイバを大きな曲率で配置することを許容するように配設されている複数の外周位置規制用の跳止壁２９ｂに沿わせて、通路Ｒ２、Ｒ８、Ｒ６、Ｒ９を渡って１巻の長さを最も長く巻く。
【００２９】
第４の態様は、通路Ｒ１、Ｒ４ｂ、Ｒ９、Ｒ６、Ｒ７、Ｒ３のように、斜めになる通路Ｒ４ｂを利用する巻き方である。このような巻き方を利用すると第１巻枠２６，第２巻枠２７に対して右回り（通路Ｒ３からＲ７に向けての巻き方）に巻くべき光ファイバを、逆向きの左回り（通路Ｒ１０からＲ５に向けての巻き方）に巻き付け可能にする。
従って、挿入口６から通路Ｒ２に向けて入れた複数本の光ファイバを右回りに巻枠に巻いたり、左回り状に取り出したりすることができ、固定されている器具２０に対し、左から光ファイバを接続できるようになり、光ファイバをきれいに巻いて整理することができる。
第５の態様は、通路Ｒ１１、Ｒ１２を利用する例がある。ここの中間には第１と第２のスプライスホルダ３４、３５が存在固定されている。従って第１と第２のメカニカルスプライス３６、３７を用いて光ファイバ相互を接続した後は、その第１と第２のメカニカルスプライス３６、３７を第１と第２のスプライスホルダ３４、３５に対して着脱自在に装着することにより、図示のようにこれらに接続される光ファイバを安定させることができる。また、光アダプタ２０に対して光コネクタ２１を介して接続される光ファイバ４７も安定状態を維持する。
【００３０】
このように光ファイバ接続後、余長部分を収納する場合、上記多数の態様の巻き方を適宜選択利用することにより、光ファイバの余りの長さが大きく、しかも、ループ状で、そのループの長さが適当で定かでない場合でも、光ファイバを仕上がりよく巻き付け、格好の良い仕上がりにすることが可能になる。
しかも上記態様の巻き方は夫々巻枠２６、２７に対して緩く巻き付けても、きつく巻き付けても、巻枠の安全曲率以下にはならないので、光ファイバの曲率が小さくなって損傷することを気にしなくても、必ず安全曲率以上の曲率で巻くことができるようになる。
【００３１】
なお、上記のようにして、ケース本体３の内に光受信部１３と、余長の光ファイバ収容部２４とを任意の手段で装着し、光ファイバ収容部２４に光ファイバを納めた後は通常の利用方法によって利用される。例えばケース本体３に蓋４を被せ、通常の如く家屋に装着する。
その後は出入口６から引き出されている光ケーブル４２に例えば家屋５４内におけるメディアコンバータ５０、パソコン５１を接続して光信号を利用する。又出入口９の接続端子１６から引き出された同軸ケーブルにはセットトップボックス５２、テレビ受像機５３を接続して利用する。
【００３２】
なお、符号５８は、光ファイバを大きな曲率で配置させた場合に、外部に向けて逃げ出すのを防ぐための周壁で、内面は上記安全曲率の範囲内でカーブさせてある。この周壁５８は必要に応じて上記それぞれは独立して立設されている複数の外周位置規制用の跳止壁２９ｂと連続させて、一体に形成するとよい。
以上のように第１巻枠２６と第２巻枠２７との配置、構成を図１のように構成することにより、平面的な専有面積を著しく小さくすることができる。それにより、ケースの外形形状をより小型、コンパクトにすることが可能になる。
【００３３】
図３乃至図８に表れる構成に係る光受信機１の設置作業、例えば光ファイバ収容部２４に光ファイバを納める作業を終え、
ケース本体３の開口部３ｅに蓋体４を被せ付けて閉じた後、光受信機１を設置する作業を説明する。
なお、蓋体４には予め切れ目6aに対応する大きさの舌片４ｆが一体的に形成されている。従って蓋４を閉じると切れ目6aはきれいに塞がれる。
６ｂは出入口６を二分し、左右の光ケーブル４１、４２を区分する為の区分片で、図４（Ｃ）で明白なように結線盤３ａと一体に成型され、舌片４ｆに当たるまでに立設してある。
【００３４】
光受信機１の設置は三態様ある。第１の態様は、図４（Ａ）の状態で机上に設置する態様。第２の態様は、図７の状態で机上に設置する態様。第３の態様は、図８の状態で、または図８（Ａ）における右側を上にして建物壁面に装着して設置する態様である。
第１の態様で設置する場合は、図４（Ａ）に表れるように、裏側板３ｄの裏側面が下に、蓋体４が上になるような状態で机上に設置する。裏側板３ｄの裏側面に設けた同じ高さの突起48、48、48、48によって、光受信機１は卓上へ平らに定置されることになる。この態様では、図１に示される光ファイバ収容部２４の光ファイバ４４等の保守点検が便利である。
次に第２の態様で設置する場合は、まず、図４に示される側板3bの添え付け凹部３０に添え付けられるベース板７６を外す。ベース板７６を外すには、ベース板７６に備えさせた開放用の爪77aを図４の上方向に押しながら、掛合片７７を掛合凹部３２ａから引き抜き、さらに嵌合突片７８を嵌合孔３２ｂから抜くと、図３に示されるようにベース板７６は外れる。
次に、外したベース板７６を図３の矢印方向に略９０度回転させて向きを変え、側板3bの第２添え付け凹部３１、４ｂに装着する。この装着は、まず嵌合突片７８を嵌合孔３３ｂに嵌合させ、そして掛合片７７を掛合凹部３３ａに係合させて装着する。すると、図５、図６（Ｂ）に示されるように、側板３ｂの下面と板状のベース板７６における下面とは同じ高さとなって装着されることになる。そして、光受信機１を図７に表れるような状態で机上に設置する。上記側板３ｂの下面と、上記板状のベース板７６における同高状になっている下面とでケース７を卓上において樹立状に定置されることになる。この状態だと机上の専有面積が小さくなり、かつ、ベース板７６の上面も活用できる空間活用上の効果がある。
最後に、第３の態様で設置する場合は、上記裏側板３ｄの裏側面に備えさせた、複数の掛止部（だるま孔）49ａ、49ｂ、49ｃを利用して、建物壁面に装着する。
だるま孔49ａ、49ｂを利用する場合には、図８に表れる状態で光受信機１は建物壁面に装着されることになる。だるま孔49ｂ、49ｃを利用する場合には、側板３ｂに沿わせたベース板７６が下になる状態でケース７を壁面に装着されることになる。
なお、第２の態様から第１又は第３の態様へ設置替えするときは、上記側板3bの第２添え付け凹部３１、４ｂに添え付けられるベース板７６を外し、ベース板７６の向きを変えて側板3bの添え付け凹部３０に装着した後に第１又は第３の態様で設置すると良い。
【図面の簡単な説明】
【００３５】
【図１】ケースにおけるケース本体と、ケースの中に収納される光ファイバ収容部との位置関係を示す正面図。なお、図において側板と出入口の構成は、出願人会社における本件出願前の試作品に係わるものを表示するものである。
【図２】ケースにおけるケース本体と、ケースの中に収納される電子機器、光ファイバ収容部の位置関係を示す分解斜視図。なお、図において側板と出入口の構成は、出願人会社における本件出願前の試作品に係わるものを表示するものである。
【図３】光受信機のケース本体と、蓋体と、ベース板との関係を説明する為の斜視図。
【図４】（Ａ）は、光受信機全体の斜視図で、添え付け凹部にベース板が添え付けられている状態を示す。（Ｂ）は、ケース本体と蓋体と光ケーブル出入口との関係を説明する為の部分破断斜視図。（Ｃ）は、ケース本体と蓋体と光ケーブル出入口との関係を説明する為の部分破断した断面図。（Ｄ）は（Ａ）におけるIII−III線断面図。
【図５】光受信機全体の斜視図で、第２添え付け凹部にベース板７６が添え付けられている状態を示す。
【図６】添え付け凹部と第２添え付け凹部とベース板との位置関係を説明する為の部分破断した断面図。（Ａ）は図４（Ａ）におけるIV−IV線断面図。（Ｂ）は図５におけるＤ−Ｄ線断面図。（Ｃ）は図５におけるＣ−Ｃ線断面図。
【図７】光受信機の樹立状設置を説明する為の斜視図。
【図８】（Ａ）は光受信機の裏側板からみた図。（Ｂ）は、光受信機を（Ａ）図における左側から見た図。
【符号の説明】
【００３６】
１・・・光受信機、３・・・ケース本体、３ａ・・・結線盤、３ｂ・・・側板、３ｃ・・・天板、３ｄ・・・裏側板、３ｅ・・・開口部、４・・・蓋体、４ｂ・・・第２添え付け凹部、４ｆ・・・舌片、５・・・収納空間、６・・・光ケーブル出入口、６ａ・・・切れ目、７・・・ケース、８・・・ＴＶ出力端子、９・・・ＴＶ出力端子、１３・・・光受信部、電子機器、１４・・・ケース（シャーシ）、１５・・・回路要素（Ｏ／Ｅ変換器、増幅器）、１６・・・出力端、１７・・・光ファイバ、２０・・・光アダプタ、２１・・・コネクタ、２４・・・光ファイバ収容部、２５・・・基板、２６・・・第１巻枠、２６ａ・・・壁、２７・・・第２巻枠、３０・・・添え付け凹部、３１・・・第２添え付け凹部、３２ａ,３３ａ・・・掛合凹部、３２ｂ,３３ｂ・・・嵌合孔、４１・・・光ケーブル、４２・・・光ケーブル、４４〜４７・・・光ファイバ、７６・・・ベース板、７７・・・掛合片、７７ａ・・・爪、７８・・・嵌合突片、８０・・・矢印
【図１】
2006003832.tif 000003
【図２】
2006003832.tif 000004
【図３】
2006003832.tif 000005
【図４】
2006003832.tif 000006
【図５】
2006003832.tif 000007
【図６】
2006003832.tif 000008
【図７】
2006003832.tif 000009
【図８】
2006003832.tif 000010